(57)【特許請求の範囲】
【請求項１】
円形又は多角形を外形とした蓋体であって、蓋体の周縁において、対向する２個所、若しくは間隔を空けて３個所以上に、合成樹脂製の曲折部を介して外方へ突出させたロック部材を設けており、ロック部材は曲折部を中心に下方へ約９０度回動して容器本体の外壁を押圧可能に形成しており、
上記曲折部は、概略薄板状に形成し、蓋体の周縁に対して直交する方向に設けた２本のスリットを並列させて設け、この２本のスリットによって曲折部を幅方向に３分割して３つの帯状部分を形成しており、両外側の帯状部分には幅方向に横断するＶ字状溝を設けて、当該Ｖ字状溝の底部を折曲げ可能なヒンジ状部分として形成しており、中央の帯状部分は両側の帯状部分より厚みを薄く形成し、厚み方向において上面側に偏らせて設けていること特徴とする包装用容器の蓋。
【発明の詳細な説明】
【０００１】
【発明の属する技術分野】
この発明は、包装用容器の蓋に関し、特に家庭で使用される食器等の容器に対して好適に使用できる包装用容器の蓋に関する。
【０００２】
【従来の技術及び発明が解決しようとする課題】
従来、食器等の容器を家庭で使用する際、食品が残った容器に蓋をしておく場合、食品用ラップフィルムが用いられたり、取外し自在な蓋が用いられたりしている。
食品用ラップフィルムでは、再使用ができないため使い捨てにしなければならず、廃棄時、焼却の際に発生する有害ガスのために環境汚染が問題となっている。このため、食品用ラップフィルムに代わって再使用可能な蓋が注目され、普及しつつある。
【０００３】
従来の再使用可能な蓋９０として、外形が円形となったものを図８に示しており、この蓋９０は、やや硬質の合成樹脂製で、容器９５の開口部を閉鎖する蓋体９１と、この蓋体９１の周縁において、蓋体９１の直径方向に対向する２個所に設けられた固定部９２とからなるもので、全体が合成樹脂材料で一体成形されている。固定部９２は、その弾性力で容器９５の周壁を押圧して蓋体９１を固定することができるものである。
【０００４】
この蓋９０を使用する際は、固定部９２が容器９５の外側になるように合わせ、蓋体９１を容器側に押しつけることによって、固定部９２の弾性変形によって、固定部９２をやや外側に押し広げながら、蓋体９１を容器９５の口部に被せるもので、蓋体９１を被蓋させると、固定部９２は、容器側面に対する弾発力によって固定することができるものである。
しかしながら、この蓋９０は、固定部９２同士の間隔が一定であるため、使用する容器９５の大きさの許容量が少ないという欠点があった。即ち、容器９５に対して被蓋させる際、固定部９２の弾性変形によって容器９５外面に固定部９２を係止させるため、固定部９２の弾性変形によって広がる範囲内の容器９５に対してだけ使用できるという問題点がある。容器９５の口部直径が固定部９２の許容範囲より小さい場合には、固定部９２が容器９５の外面に係止できず、蓋９０が固定されないという問題点もあった。
【０００５】
特に、容器９５が、陶磁器製の場合には容器口部の大きさが不揃いであって、同じ種類の陶磁器に対して、蓋９０が固定できたり固定できなかったりする問題が生ずるものであった。
そこで、この発明は、着脱可能な蓋であって、容器口部の大きさにばらつきがあっても蓋を固定させることができる包装用容器の蓋を提供することを目的としている。
【０００６】
【課題を解決するための手段及び発明の効果】
上記目的を達成するため、この発明の包装用容器の蓋は、円形又は多角形を外形とした蓋体であって、蓋体の周縁において、対向する２個所、若しくは間隔を空けて３個所以上に、合成樹脂製の曲折部を介して外方へ突出させたロック部材を設けており、ロック部材は曲折部を中心に下方へ約９０度回動して容器本体の外壁を押圧可能に形成しており、上記曲折部は、概略薄板状に形成し、蓋体の周縁に対して直交する方向に設けた２本のスリットを並列させて設け、この２本のスリットによって曲折部を幅方向に３分割して３つの帯状部分を形成しており、両外側の帯状部分には幅方向に横断するＶ字状溝を設けて、当該Ｖ字状溝の底部を折曲げ可能なヒンジ状部分として形成しており、中央の帯状部分は両側の帯状部分より厚みを薄く形成し、厚み方向において上面側に偏らせて設けていること特徴としている。
【０００７】
上記構成の包装用容器の蓋は、蓋体の周縁に設けたロック部材を外方へ突出した状態に支持しているので、容器に蓋を被せる際に、ロック部材が邪魔になることなく、被蓋させることができる。そして、ロック部材は、曲折部を介して下方へ約９０度回動させることにより、容器の外側にロック部材を当接させて蓋を確実に固定することができる。
そして、上記曲折部は、板状体を２本のスリットによって３つの帯状部分を形成し、外側に帯状部分に形成したＶ字状溝によって、Ｖ字状溝の底部をヒンジ状部分に構成しているので、当該曲折部を介して設けたロック部材を回動自在に支持することができる。
【０００８】
また、中央の帯状部分は両側の帯状部分より厚みを薄く形成し、厚み方向において上面側に偏らせて設けているので、側面から見て、この帯状部分の全長が、帯状部分の双方の基端からＶ字状溝の底部までの距離の和より短くなっている。このため、この曲折部を介してロック部材を回動させる際は、中央の帯状部分を伸張させる外力を加える必要があり、その力はロック部材を約４５度回動させたときに最大となるもので、この角度位置を挟んで元の状態に戻る方向へロック部材に対する弾発付勢力が働いている。そして、この弾発付勢力によって、ロック部材は、容器の外側を確実に押圧することができる。また、この弾発付勢力は、ロック部材が容器外面を押圧する角度の許容範囲を、９０度前後の範囲において広くとることができるので、容器の口部の大きさにばらつきがあっても確実に被蓋させることができる。そして、蓋を外す際は、ロック部材を水平方向に回動させることにより、容器に対する押圧状態を解放できるので、簡単に蓋を外すことができる。
【０００９】
したがって、この構成の包装用容器の蓋を使用することにより、容器口部の大きさが一定でないものに対してもロック部材を容器外面に確実に押圧させることができ、容器に対する適応性が向上する。また、蓋を外す際には、容器に対する押圧状態を解放することができるので、蓋を簡単に外すことができ、蓋を繰り返し使用することができる。
【００１０】
【発明の実施の形態】
この発明の好適な実施の形態を説明する。図１は、この発明の一実施形態を示す包装容器の斜視図で、図２は平面図、図３は断面図を示している。
この包装用容器の蓋１は、容器の口部に被蓋する蓋体１１と蓋体１１の周縁に設けた、容器外面に対するロック部材２１とから構成している。ロック部材２１は、ヒンジ部となる曲折部２２を介して、蓋体１１の外方に突出する形状に構成している。
【００１１】
蓋１の材質としては、曲折部２２を合成樹脂、例えば、ポリプロピレンにて形成しており、ロック部材２１や蓋体１１と一体成形することにより、生産性の向上に寄与する。
蓋体１１は、この例では、口部形状が円形となった容器に使用するものを示しており、外形を円形に形成していると共に、容器口部との密着性を向上させるため、蓋体１１の内面に凹部１１ａを形成している。
いる。
【００１２】
ロック部材２１は、蓋体１１の直径方向において対向する２個所の周縁部分に、外方へ突出した舌片部材にて形成したものである。このロック部材２１は曲折部２２を介して容器の外面側に約９０度の角度で回動可能に構成しており、容器外面を押圧して蓋１を固定することができるものである。
図４は、曲折部２２の部分拡大側面図を示しており、曲折部２２は、蓋体１１の外周に直交する向きで、かつ間隔を空けて併設した２本のスリット２２ａを設けており、このスリット２２ａによって係止部２１を幅方向に３分割しており、３分割した部分をそれぞれ帯状となるように形成している。両側の帯状部２２ｂは、帯状部の中間に長手方向と直交する方向に形成したＶ字状溝２２ｃを設け、Ｖ字状溝２２ｃの底部ｙを、折り曲げ自在なヒンジ部として構成している。
【００１３】
中央の帯状部２２ｅは、ロック部材２１の厚みを薄くした部分として形成していると共に、厚み方向において上面側に偏らせて形成しており、側面からみるとＶ字状溝２２ｃの開口側上端に偏倚させて状態となっている。
この曲折部２２は、中央の帯状部２２ｅの基端位置をそれぞれｘ，ｚとし、Ｖ字状溝２２ｃの底部位置をｙとすると、それぞれの点を結ぶと三角形を形作っているため、帯状部の長さｘｚは、ｘｚ＜ｘｙ＋ｙｚとなり、ロック部材２１が折れ曲がるためには、ｘｚ＝ｘｙ＋ｙｚとなるまで、中央の帯状部２２ｅを伸張させなければならない。したがって、上記のように帯状部２２ｅを伸張させる外力がかからない限り、曲折部２２が自然に曲がることはない。したがって、蓋１を容器に被せる際に、ロック部材２１が邪魔になることはない。
【００１４】
そして、蓋１を容器に被蓋させて、ロック部材２１を折り曲げる際は、Ｖ字状溝２２ｃの底部ｙを支点にロック部材２１を下方に約４５度の角度まで回動させると、中央の帯状部２２ｅはＶ字状溝２２ｃの底部ｙ同士の間の位置まで移動して、帯状部２２ｅがｘｚ＝ｘｙ＋ｙｚとなるように伸張することとなり、この状態を図５に示している。
さらに、中央の帯状部２２ｅを回動させると、帯状部２２ｅは、Ｖ字状溝２２ｃの底部ｙ下方側に移動して、再びｘｚ＜ｘｙ＋ｙｚの関係となる。帯状部２２ｅは、合成樹脂製にて形成しているので弾発力で縮小していくこととなる。中央の帯状部２２ｅは、ロック部材２１が約９０度前後の角度になるまで内方への弾性力を有する状態を維持しており、この状態を図６及び図７に示している。帯状部２２ｅは、ロック部材２１が約９０度前後の範囲では常に内側方向への弾性力を有するので、ロック部材２１が容器外面に対して押圧する力を付与している。したがって、容器の直径が小さい場合や大きい場合にもロック部材２１は容器外面を確実に押圧することができる。
【００１５】
そして、蓋１を外す際は、ロック部材２１を、曲折部２２の帯状部２２ｅの弾発力に抗して上方へ回動させることにより、容器に対する押圧状態を解放すると共に、ロック部材２１を外方へ突出した初めの状態に戻すことができるので、蓋１を簡単に外すことができるものである。
上記実施形態では、曲折部２２を直径方向に対向する２個所に形成した例を示したが、周縁方向に３個所以上形成することができる。また、容器の外形は、円形のものを示したが、正方形や長方形、その他の多角形のものにも適用できる。
【００１６】
また、蓋体１１、曲折部２２及びロック部材２１を硬質の合成樹脂材料で一体成形した例を示したが、少なくとも曲折部２２を弾性変形可能な材料にて形成しておけば、各部を別体に形成して組み合わせることによって、上記実施形態と同様の作用効果を得ることができる。
蓋１の材質としては、曲折部２２の剛性が確保できる材料であれば、上記したポリプロピレンやその他の材料を用いることができ、また、抗菌性有する蓋として形成することもできる。
【図面の簡単な説明】
【図１】この発明の一実施形態を示す包装用容器の蓋の斜視図である。
【図２】上記蓋の平面図である。
【図３】上記蓋の断面図である。
【図４】曲折部２２の部分拡大側面図である。
【図５】曲折部２２の動作を説明する部分拡大側面図である。
【図６】曲折部２２の動作を説明する部分拡大側面図である。
【図７】容器に被蓋させた状態の断面図である。
【図８】従来例の包装用容器の蓋の斜視図である。
【符号の説明】
１      包装用容器の蓋
１１    蓋体
２１    ロック部材
２２    曲折部
２２ａ  スリット
２２ｂ，２２ｅ    帯状部分
２２ｃ  Ｖ字状溝
【図１】
0004409025.tif 000002
【図２】
0004409025.tif 000003
【図３】
0004409025.tif 000004
【図４】
0004409025.tif 000005
【図５】
0004409025.tif 000006
【図６】
0004409025.tif 000007
【図７】
0004409025.tif 000008
【図８】
0004409025.tif 000009